(57)【要約】【課題】コンテナ内の仕切体の視認性を確保しながら、コンテナ内に図書が収容されている状態でも仕切体の配置位置を容易に変更することが可能なコンテナを提供すること。【解決手段】平面視矩形状の底板６ａと、底板６ａの左右端部から上方に向けて延設されている第１側壁６ｂと、底板６ａの前後端部から上方に向けて延設されている第２側壁６ｃと、から構成され、第１側壁６ｂと第２側壁６ｃとで囲まれた内部が図書４を収容するための上方に向けて開口する収容空間２１に形成されているコンテナ６であって、収容空間２１には、収容空間２１を仕切る仕切体２４が前後方向を向いて着脱自在に配置されており、仕切体２４は、収容空間２１で立設する仕切板部２４ｂと、仕切板部２４ｂから延設され、少なくとも一方の第２側壁６ｃの上端部に左右方向に移動可能に係合する延設部２４ｃと、を有している。【選択図】図６
2011006123.tif 000002
【特許請求の範囲】
【請求項１】
平面視矩形状の底板と、該底板の左右端部から上方に向けて延設されている第１側壁と、前記底板の前後端部から上方に向けて延設されている第２側壁と、から構成され、前記第１側壁と前記第２側壁とで囲まれた内部が図書を収容するための上方に向けて開口する収容空間に形成されているコンテナであって、
前記収容空間には、該収容空間を仕切る仕切体が前後方向を向いて着脱自在に配置されており、該仕切体は、前記収容空間で立設する仕切板部と、該仕切板部から延設され、少なくとも一方の前記第２側壁の上端部に左右方向に移動可能に係合する延設部と、を有していることを特徴とするコンテナ。
【請求項２】
前記延設部は、前記第２側壁の上面と外側面とを囲繞することを特徴とする請求項１に記載のコンテナ。
【請求項３】
前記底板には、左右方向を向く溝部が形成されており、前記仕切体は、前記溝部内を左右方向に摺動するベース板部を有していることを特徴とする請求項１または２に記載のコンテナ。
【請求項４】
前記コンテナは、前記図書を前記延設部が係合する側の前記第２側壁に背表紙を向けた状態で収容可能であり、前記底板の上面は、前記延設部が当接した側の前記第２側壁から他側の前記第２側壁に向けて上り傾斜に形成されていることを特徴とする請求項１ないし３のいずれかに記載のコンテナ。
【請求項５】
前記延設部が係合する側の前記第２側壁の外側面には、左右方向に所定間隔毎に目盛が付設されていることを特徴とする請求項１ないし４のいずれかに記載のコンテナ。
【発明の詳細な説明】
【技術分野】
【０００１】
本発明は、平面視矩形状の底板と、底板の左右端部から上方に向けて延設されている第１側壁と、底板の前後端部から上方に向けて延設されている第２側壁と、から構成され、第１側壁と第２側壁とで囲まれた内部が図書を収容するための上方に向けて開口する収容空間に形成されているコンテナに関する。
【背景技術】
【０００２】
従来のコンテナは、内部に複数の書籍（図書）を１列に積層して収納可能なように形成された箱状のケース本体（コンテナ）を有しており、ケース本体内に仕切部材（仕切体）を配置することでケース本体内に収納される書籍を仕切っている。このようなケース本体には、ケース本体の底壁の上部がケース本体の長手方向を向いて上方に開口する凹陥部に形成されているとともに、仕切部材は凹陥部内に配置される方形のベース板部と、ケース本体内の書籍を仕切るためにベース板部の一端から上方に向かって立設された仕切板部と、から構成されており、仕切部材を、凹陥部の長手方向に沿って形成された凹凸条と、ベース板部に形成された凹凸部と、を互いに係脱可能に係合させることで、ケース本体内で移動しないよう任意の位置で固定しているものがある（例えば、特許文献１参照）。
【先行技術文献】
【特許文献】
【０００３】
【特許文献１】特許第３２９５３７７号公報（第３頁、第３図）
【発明の概要】
【発明が解決しようとする課題】
【０００４】
しかしながら、特許文献１に記載のケース本体（コンテナ）にあっては、収納する書籍（図書）を各ジャンルや著者毎に仕切部材（仕切体）によって仕切るが、積層した図書の底壁からの高さが仕切部材の高さより高いと、コンテナの外面視から仕切部材がケース本体の外面視から視認できなくなるため、利用者の目的とする書籍がどのジャンルに属して収納されているか不明になってしまい、ケース本体内から利用者の目的とする書籍を見つけ出すことが困難となることがある。また、ケース本体内の仕切部材による書籍の仕切位置を変更するには、一旦ケース本体内から書籍を取り出した後に仕切部材を上方に持ち上げることで、凹凸条と凹凸部との係合を解除せねばならないという問題がある。
【０００５】
本発明は、このような問題点に着目してなされたもので、コンテナ内の仕切体の視認性を確保しながら、コンテナ内に図書が収容されている状態でも仕切体の配置位置を容易に変更することが可能なコンテナを提供することを目的とする。
【課題を解決するための手段】
【０００６】
前記課題を解決するために、本発明のコンテナは、
平面視矩形状の底板と、該底板の左右端部から上方に向けて延設されている第１側壁と、前記底板の前後端部から上方に向けて延設されている第２側壁と、から構成され、前記第１側壁と前記第２側壁とで囲まれた内部が図書を収容するための上方に向けて開口する収容空間に形成されているコンテナであって、
前記収容空間には、該収容空間を仕切る仕切体が前後方向を向いて着脱自在に配置されており、該仕切体は、前記収容空間で立設する仕切板部と、該仕切板部から延設され、少なくとも一方の前記第２側壁の上端部に左右方向に移動可能に係合する延設部と、を有していることを特徴としている。
この特徴によれば、利用者は、第２側壁に係合する延設部をコンテナの外面視から視認することができるので、図書の大きさに関係なく利用者の目的とする図書が仕切体で左右に仕切られた収容空間のどちらに収容されているか把握し、探し出すことができる。また、仕切体は、延設部が第２側壁に係合することで、収容空間で立設する仕切板部が左右方向に倒れ難く支持することができるとともに、延設部を第２側壁の上端部に沿って左右方向に移動させることで、収容空間に収容されている図書を取り出すことなく仕切板部を左右方向に移動させ、収容空間に収容される図書の増減に応じて、仕切体によって図書を仕切る位置を適宜変更することができる。
【０００７】
本発明のコンテナは、
前記延設部は、前記第２側壁の上面と外側面とを囲繞することを特徴としている。
この特徴によれば、延設部が第２側壁の外側面に当接することで仕切体の前後方向への揺動が規制され、仕切体の垂直を保つことで仕切体の視認性を向上させることができる。
【０００８】
本発明のコンテナは、
前記底板には、左右方向を向く溝部が形成されており、前記仕切体は、前記溝部内を左右方向に摺動するベース板部を有していることを特徴としている。
この特徴によれば、ベース板部を溝部に沿って摺動させることで、収容空間に収容される図書の増減に応じて、ベース板部をより安定した状態で左右方向に移動させることができる。
【０００９】
本発明のコンテナは、
前記コンテナは、前記図書を前記延設部が係合する側の前記第２側壁に背表紙を向けた状態で収容可能であり、前記底板の上面は、前記延設部が当接した側の前記第２側壁から他側の前記第２側壁に向けて上り傾斜に形成されていことを特徴としている。
この特徴によれば、コンテナ内に収容された図書の底部が上り傾斜に摺接することで、背表紙が第２側壁に当接するため、各図書の背表紙が第２側壁に沿って面一に配置され、利用者が図書の背表紙に書かれているタイトル等を容易に判別することができる。
【００１０】
本発明のコンテナは、
前記延設部が係合する側の前記第２側壁の外側面には、左右方向に所定間隔毎に目盛が付設されていることを特徴としている。
この特徴によれば、利用者は、目盛と延設部との位置関係から収容空間に収容されている図書の収容量を認識することができる。
【図面の簡単な説明】
【００１１】
【図１】実施例１におけるコンテナを備えた自動書庫及びステーションを示す平面図である。
【図２】ステーションを示す斜視図である。
【図３】ステーションを示す横断平面図である。
【図４】コンテナを示す平面図である。
【図５】コンテナを示す正面図である。
【図６】コンテナを示す縦断側面図である。
【図７】（ａ）は、ディバイダの平面図であり、（ｂ）は、ディバイダの側面図である。
【図８】ディバイダの正面図である。
【図９】ディスプレイに表示されるコンテナ内に収容された図書の配置位置を示す図である。
【図１０】実施例２におけるコンテナを示す平面図である。
【図１１】コンテナを示す正面図である。
【図１２】コンテナを示す縦断側面図である。
【発明を実施するための形態】
【００１２】
本発明に係るコンテナを実施するための形態を実施例に基づいて以下に説明する。
【実施例１】
【００１３】
実施例１に係るコンテナにつき、図１から図９を参照して説明する。以下、図３及び図４の紙面下側をコンテナの正面側（前方側）とし、図５の紙面手前側をコンテナの正面側（前方側）とし、図６の紙面左側をコンテナの正面側（前方側）として説明する。
【００１４】
図１の符号１は、本発明の適用されたコンテナを備える図書保管管理システムである。この図書保管管理システム１は、図１に示すように、例えば、図書館にて書棚が利用者に公開されている利用者室２と、書棚が利用者に公開されていない閉架書庫３と、の間に亘って設置されており、閉架書庫３に収容されている図書４（図２参照）を利用者の要求に応じて利用者室２まで搬送するシステムである。
【００１５】
閉架書庫３には、図書４を収容するための複数（本実施例では８基）の書棚５が配置されている。図１及び図５に示すように、これら書棚５には、複数の図書４が立てた状態で収容された複数のコンテナ６が収容されている。尚、本発明における図書保管管理システム１は、コンテナ６毎に図書４を文学、スポーツ、評論等のジャンル毎に収容する固定ロケーション方式を採用している。
【００１６】
コンテナ６に収容されている図書４の背表紙４ａには、特に図示しないが、各図書４毎に固有の識別情報が記憶されているＲＦＩＤタグが貼り付けられている。そして、このＲＦＩＤタグの識別情報を、後述するタグリーダ１６と貸出用タグリーダ２０とによって読み取り可能となっている。この識別情報とは、例えば、各図書４のタイトル、著者、出版社、ページ数等である。
【００１７】
また、本実施例でのＲＦＩＤタグは、内蔵したＩＣチップを非接触方式（無線方式）にて、タグリーダ１６と貸出用タグリーダ２０とで読み取らせる公知のパッシブ型のＲＦＩＤタグである。
【００１８】
図１に示すように、図書保管管理システム１は、閉架書庫３にて書棚５から図書４が収容されたコンテナ６を取り出すための複数基（本実施例では４基）のスタッカークレーン８と、スタッカークレーン８によって書棚５から取り出されたコンテナ６を受け取るコンベア９と、を備えている。尚、これらスタッカークレーン８は、後述するステーション１１にて設定された指令に基づき、各書棚５におけるコンテナ６の収容位置まで前後並びに上下方向に自動走行して、コンテナ６の出し入れを行うようになっている。
【００１９】
また、利用者室２には、閉架書庫３からコンテナ６を搬送可能であって、利用者が目的の図書４の貸し出し若しくは返却を行うことができるステーション１１が設けられている。図３に示すように、ステーション１１には、コンベア９上のコンテナ６から利用者に図書４を取り出し、または収容させる受け渡し口１２が形成されている。
【００２０】
この受け渡し口１２内に書棚５側から連続したコンベア９が延設されている（図１参照）。このコンベア９には、駆動ローラが並設されており、このコンベア９によって、コンテナ６は、その左右方向をコンベア９の搬送方向に向けた状態で受け渡し口１２内の中央まで水平に搬送されるようになっている。
【００２１】
図３に示すように、ステーション１１の受け渡し口１２内の中央には、コンベア９に連続して設けられたターンテーブル１３が配設されている。ステーション１１に搬送されたコンテナ６は、このターンテーブル１３上に載置されるようになっている。尚、ターンテーブル１３にも、駆動ローラが設けられており、ターンテーブル１３上からコンベア９にコンテナ６を移動させることもできる。
【００２２】
ステーション１１の利用者は、ステーション１１の外面に設けられているコンテナ回転ボタン１１ａを押圧操作することで、ターンテーブル１３を回転させてコンテナ６を水平回転させることができる。そのためコンテナ６は、その正面側及び背面側のいずれの側も利用者側に向けることができる。
【００２３】
図３に示すように、ステーション１１の受け渡し口１２には、左右方向に受け渡し口１２を開閉自在なスライド扉１４が取り付けられており、このスライド扉１４を開放することによって、利用者は、受け渡し口１２に搬送されてきたコンテナ６から図書４を取り出せるようになっている。
【００２４】
また、ステーション１１の受け渡し口１２内の右部には、コンベア９の正面側と背面側の両側に、コンテナ６内に収容されている図書４のＲＦＩＤタグから識別情報を読み取るためのタグリーダ１６が、前後一対となって設けられている。尚、これらタグリーダ１６は、移動不能に固定配置されている。
【００２５】
図２及び図３に示すように、ステーション１１の正面側には、利用者がコンテナ６から取り出した図書４を載置するための天板１７が設けられている。この天板１７の左部には、ステーション１１を使用する利用者に対して、図書４の貸し出し及び返却作業の指示を行うための表示装置１８が設けられている。
【００２６】
この表示装置１８は、利用者が直接指等を接触させて操作可能なタッチパネル１９を備える。更に、天板１７には、図書４の背表紙４ａに貼り付けられているＲＦＩＤタグから識別情報を読み取るための貸出用タグリーダ２０が埋設されている。
【００２７】
尚、ステーション１１には、特に図示しないが、これら表示装置１８とタッチパネル１９と貸出用タグリーダ２０とタグリーダ１６とコンベア９とスタッカークレーン８とに接続されている制御コンピュータが内蔵されている。
【００２８】
次に、図書４が収容されるコンテナ６について説明する。図４〜図６に示すように、このコンテナ６は、ポリプロピレン等の樹脂材によって構成されている。コンテナ６は、底板６ａと、底板６ａの左右端部から上方に向かって延設されている第１側壁６ｂと、底板６ａの前後端部から上方に向かって延設されている第２側壁６ｃと、によって構成されており、上方に向かって開口する略箱体に形成されている。
【００２９】
また、第１側壁６ｂは、第２側壁６ｃよりも上下方向に長くなるように形成されている。これら第１側壁６ｂと第２側壁６ｃとによって囲まれたコンテナ６の内部は、複数の図書４を収容するための収容空間２１となっている。
【００３０】
図６に示すように、底板６ａは、底板６ａの前後に設けられている第２側壁６ｃから、コンテナ６の前後方向の中央に向かって上方に角度θの傾斜をなす傾斜面６ｄに形成されている。図４に示すように、底板６ａの前後方向の中央は、底板６ａの左右にそれぞれ設けられている第１側壁６ｂ間で平面視で長方形状の水平面６ｅに形成されており、前後の傾斜面６ｄは、水平面６ｅの前後端縁に連設されている。
【００３１】
また、第２側壁６ｃの上端部の外側端縁部は、第２側壁６ｃの外側面の一部がコンテナ６の内側に向けて凹設された切欠６ｆに形成されており、第２側壁６ｃの内側面６ｇは、下端部から上方に向けてコンテナ６の前後方向の外側方に向けて傾斜面６ｄと同一傾斜角である角度θの傾斜をなして形成されている。そのため第２側壁６ｃの内側面６ｇと底板６ａの傾斜面６ｄとのなす角が直角になり、図書４の角部を保持することができる。
【００３２】
更に、切欠６ｆの下方である第２側壁６ｃの外側面には、第２側壁６ｃの左端部から右端部にかけて所定間隔毎に目盛２３が付設されている。これら目盛２３の下部には、左端部側から右端部にかけてアルファベットがAから順番に印字されている。
【００３３】
尚、本実施例では、これら傾斜面６ｄと内側面６ｇの角度θは、約５度に形成されているが、コンテナ６内に収容されている図書４が収容空間２１から脱落する角度でなければ角度θは特に限定されない。
【００３４】
更に、コンテナ６内には、前後の第２側壁６ｃ間で底板６ａの左右方向の略中央から上方に向かって隔壁６ｈが立設されており、この隔壁６ｈによって収容空間２１は、左右に仕切られる。
【００３５】
更に、第１側壁６ｂの前後方向の略中央部には、コンテナ６の上方及びの内側に向かって開口するスリット６ｉが形成されている。それぞれのスリット６ｉは、両第１側壁６ｂ間で左右に対向して前後方向に複数条（本実施例では５条）設けられている。
【００３６】
これら５組の左右方向に対向する２対のスリット６ｉ間には、隔壁６ｈを跨いで収容空間２１を正面側と背面側とに仕切る２枚の磁性板２２を上方から挿通可能となっている。
【００３７】
尚、これら２枚の磁性板２２は、スチール材や鉄材等の金属製材料、すなわち磁性部材によって構成されている。尚、この磁性板２２に、フェライトシート等の磁性シートを貼り付けるようにしてもよく、フェライトシートが貼り付けられていれば、磁性板２２にＲＦＩＤタグが接触している状態であっても、ＲＦＩＤタグの識別情報をタグリーダ１６によって読み取ることができる。
【００３８】
更に尚、磁性板２２の下端部には、左右方向を向く複数の図示しない嵌合片が下方に向かって延設されている。これら嵌合片は、磁性板２２の左右端部をスリット６ｉに挿通される際に、水平面９に左右方向を向いて複数条設けられた長孔６ｋに嵌合可能となっている。そのため２枚の磁性板２２は、左右端部をスリット６ｉに上方から挿通させながら嵌合片を長孔６ｋに嵌合させることで固定させることができる。
【００３９】
これら磁性板２２によって、コンテナ６の正面側と背面側とに分割された収容空間２１にて、コンテナ６に収容される図書４は、背表紙４ａをコンテナ６の前後方向の外側に向けた状態で、図書４の厚み方向である左右方向に並べられた状態で収容されるようになっている。
【００４０】
また、図４〜図６に示すように、収容空間２１の正面側と背面側とには、収容空間２１に収容されている複数の図書４が横倒しとならないように、第１側壁６ｂまたは隔壁６ｈとともに左右方向から複数の図書４を挟持し、複数の図書４を著者毎等で仕切るための本発明における仕切体としてのディバイダ２４が前後方向を向いて着脱自在に配置されている。以下、収容空間２１の正面側と背面側に配置されているディバイダ２４は同一構成につき、主に収容空間２１の正面側に配置されているディバイダ２４について説明する。
【００４１】
ディバイダ２４は、図４〜図８に示すように、傾斜面６ｄに底面が当接する平面視略長方形状の板状に形成されたベース板部２４ａと、ベース板部２４ａの左端部から立設された板状の仕切板部２４ｂと、仕切板部２４ｂの前端上部に設けられ、第２側壁６ｃの上端部である切欠６ｆに係合する延設部２４ｃと、から構成されている。
【００４２】
仕切板部２４ｂの前端部は、ベース板部２４ａに対して垂直をなすように形成されている。これらベース板部２４ａと仕切板部２４ｂと延設部２４ｃとは、一枚のスチール材等の金属材によって構成された板体の折曲げ加工により形成されており、ベース板部２４ａの前後幅寸法は、傾斜面６ｄの前後幅寸法と略同寸に形成されている。
【００４３】
延設部２４ｃは、仕切板部２４ｂの前端部より左方に延設された側片２４ｄと、側片２４ｄの前端部から正面側に向けて延設された突片２４ｅと、突片２４ｅの前端部から下方に向けて延設された係止片２４ｆと、から構成されている。このうち突片２４ｅは、側片２４ｄの前端部から正面側に向かって上方に角度θの傾斜をなしており、係止片２４ｆは、突片２４ｅの前端部から鉛直方向に対して正面側に向かって角度θの傾斜をなしている。
【００４４】
前述のように構成されたディバイダ２４は、収容空間２１に上方から収容配置されることで、第２側壁６ｃの上端部に延設部２４ｃを上方から係合するようになっている。具体的には、ディバイダ２４が収容空間２１に上方から収容配置されることで、延設部２４ｃを構成する突片２４ｅと係止片２４ｆとは、第２側壁６ｃの上面と第２側壁６ｃの外側面である切欠６ｆの凹設箇所とを囲繞し、突片２４ｅと係止片２４ｆとは、使用者がコンテナ６の外面視から視認可能となる。
【００４５】
このため、係止片２４ｆと仕切板部２４ｂの前端部とは、第２側壁６ｃの上端部の前後方向に配置されるので、コンテナ６の搬送時等にディバイダ２４に前後方向の揺動が発生しても、第２側壁６ｃに係止片２４ｆと仕切板部２４ｂの前端部との一方が当接することで、ディバイダ２４の前後方向への揺動を規制することができる。
【００４６】
また、ディバイダ２４は、収容空間２１に収容配置されることで、ベース板部２４ａが底面で傾斜面６ｄと面接触するようになっており、このベース板部２４ａと傾斜面６ｄとの面接触によってディバイダ２４の左右方向への横倒れが防止されている。加えて、図４の収容空間２１の背面側に示すように、ディバイダ２４の左右方向への横倒れは、ベース板部２４ａ上に図書４を載置することによってより強力に防止される。
【００４７】
延設部２４ｃは、前述したように第２側壁６ｃの上端部に係合することで、第２側壁６ｃの上端部に沿って左右方向に移動可能となっている。このため、延設部２４ｃを左右方向に移動させることで、仕切板部２４ｂとベース板部２４ａとを延設部２４ｃの左右方向の移動に追従させ、仕切板部２４ｂの収容空間２１での配置位置を、適宜左右方向に変更可能となっている。
【００４８】
特に、図４の収容空間２１の背面側に示すように、ベース板部２４ａに図書４が載置されている場合であっても、延設部２４ｃを左右方向に移動させることでベース板部２４ａを傾斜面６ｄと図書４との間から引き抜きが可能であるので、ディバイダ２４の配置位置を変更する際に図書４を収容空間２１から一旦取り出す等の動作が必要ない。
【００４９】
また、本実施例では、前述したように、金属材のディバイダ２４を用いているが、図書４の背表紙４ａにＲＦＩＤタグが貼り付けられているため、ディバイダ２４とＲＦＩＤタグとが当接しなようになっている。そして、タグリーダ１６から発せられる電磁波は、金属材のディバイダ２４によって妨げられることがなく、タグリーダ１６は、図書４の背表紙４ａに貼り付けられたＲＦＩＤタグの識別情報を読み取ることができるようになっている。
【００５０】
尚、本実施例では、前述したように、タグリーダ１６によってコンテナ６内に収容されている図書４のＲＦＩＤタグから識別情報を順次読み取ることによって、ステーション１１は、利用者の目的とする図書４がコンテナ６の収容空間２１にいずれの収容位置に配置されているかを推定できるようになっている。
【００５１】
具体的には、先ず、利用者はタッチパネル１９を操作することで、目的とする図書４のタイトルや著者等の識別情報を入力し、目的とする図書４が収容されているコンテナ６を搬送するように操作指示を行う。
【００５２】
ステーション１１は、この搬送指示に基づいてスタッカークレーン８とコンベア９とに対して、利用者の目的とする図書４が収容されているコンテナ６を、閉架書庫３の書棚５からステーション１１内の受け渡し口１２の中央まで搬送させる制御を行う。
【００５３】
そして、コンテナ６がステーション１１内の受け渡し口１２の中央に向けて搬送される際に、コンベア９の正面側と背面側とに設けられたタグリーダ１６によってコンテナ６の収容空間２１の正面側と背面側とに収容されている図書４のＲＦＩＤタグの識別情報を順次読み取るようになっている。
【００５４】
図９に示すように、順次読み取った識別情報に基づいて、ステーション１１は、表示装置１８に識別情報としての図書４のタイトルを表示させる。具体的には、コンベア９の正面側に設けられたタグリーダ１６によって読み取った図書４の識別情報は、コンテナ６の収容空間２１のカウンター側（正面側）に収容されている図書４のタイトルとして表示装置１８に表示させる。同様に、コンベア９の背面側に設けられたタグリーダ１６によって読み取った図書４の識別情報は、コンテナ６の収容空間２１の奥側（背面側）に収容されている図書４のタイトルとして表示装置１８に表示させる。
【００５５】
このとき、ステーション１１は、タグリーダ１６によって読み取った識別情報である各図書４のページ数から図書４の厚みを計算し、各図書４のタイトルをページ数から計算した図書４の厚みに比例する左右幅寸法を有する枠体内に表示させ、収容空間２１の図書４の収容状態を再現する。
【００５６】
更に、ステーション１１は、コンベア９の正面側と背面側とのタグリーダ１６によって読み取られた識別情報を、利用者が目的とする図書４の識別情報と照合し、表示装置１８に表示されている図書４のタイトルの中から利用者が目的とする図書４のタイトルを点灯表示させる。尚、表示装置１８に表示される図書４のタイトルの下方には、第２側壁６ｃに付設された目盛とアルファベットとが表示されており、使用者は、点灯している図書４のタイトルと目盛の下方に表示されているアルファベットとの位置関係を認識することで、目的とする図書４を収容空間から容易に見つけ出すことができる。
【００５７】
このように表示装置１８にコンテナ６の収容空間２１内に収容されている図書４のタイトルを、タグリーダ１６によって読み取った順に表示させることで、利用者はコンテナ６の収容空間２１内における目的とする図書４の収容位置を把握することができるようになっている。
【００５８】
尚、図８に示すように、利用者が目的とする図書４が、コンテナ６の収容空間２１の背面側に収容されている場合には、利用者がコンテナ回転ボタン１１ａを押圧操作することでターンテーブル１３を回転させて、コンテナ６の向きを回転変更させることで、目的とする図書４を容易にコンテナ６から取り出すことができる。
【００５９】
そして、コンテナ６の収容空間２１から取り出した図書４は、貸出用タグリーダ２０によってＲＦＩＤタグから識別情報を読み取らせることによって貸出処理を行うことができる。
【００６０】
そして、利用者の図書４の貸し出しが終了した後、利用者が再びタッチパネル１９を操作することで、ステーション１１内から閉架書庫３の書棚５にコンテナ６を返却する操作指示を行う。ステーション１１は、この操作指示に基づいてスタッカークレーン８とコンベア９とに対して、コンテナ６を書棚５に返却させる制御を行う。
【００６１】
更に、コンベア９の正面側と背面側とに設けられたタグリーダ１６によって、閉架書庫３に向けて搬送されるコンテナ６の正面側と背面側との収容空間２１内に収容されている図書４のＲＦＩＤタグから再び識別情報を読み取る。このようにすることで、ステーション１１から閉架書庫３に向けて搬送されるコンテナ６の収容空間２１に収容されている図書４から読み取った識別情報と、閉架書庫３の書棚５からステーション１１に向けて搬送されるコンテナ６の収容空間２１に収容されている図書４から読み取った識別情報とを比較し、利用者に貸し出しが行われた図書４以外にコンテナ６から持ち出された図書４の有無を管理することができる。
【００６２】
尚、本実施例では、収容空間２１を２枚の磁性板２２によって正面側と背面側とに分割し、図書４を背表紙４ａがコンテナ６の前後方向の外側を向く状態で、図書４の厚み方向である左右方向に並べられた状態で収容したが、収容空間２１は磁性板２２で正面側と背面側とに分割せずともよく、また、図書４は、収容空間２１で平積みにして収容してもよい。
【００６３】
以上、実施例１におけるコンテナ６にあっては、収容空間２１には、収容空間２１を仕切るディバイダ２４が前後方向を向いて着脱自在に配置されており、ディバイダ２４は、収容空間２１で立設する仕切板部２４ｂと、仕切板部２４ｂから延設され、少なくとも一方の第２側壁６ｃの上端部に左右方向に移動可能に係合する延設部２４ｃと、を有しているので、利用者は、第２側壁６ｃに係合する延設部２４ｃをコンテナ６の外面視から視認することができるので、図書４の大きさに関係なく利用者の目的とする図書４がディバイダ２４で左右に仕切られた収容空間２１のどちらに収容されているか把握し、探し出すことができる。また、ディバイダ２４は、延設部２４ｃが第２側壁６ｃに係合することで、収容空間２１で立設する仕切板部２４ｂが左右方向に倒れ難く支持することができるとともに、延設部２４ｃを第２側壁６ｃの上端部に沿って左右方向に移動させることで、収容空間２１に収容されている図書４を取り出すことなく仕切板部２４ｂを左右方向に移動させ、収容空間２１に収容される図書４の増減に応じて、ディバイダ２４によって図書４を仕切る位置を適宜変更することができる。
【００６４】
また、延設部２４ｃは、第２側壁６ｃの上面と外側面とを囲繞することで、延設部２４ｃが第２側壁６ｃの外側面に当接することでディバイダ２４の前後方向への揺動が規制され、ディバイダ２４の垂直を保つことでディバイダ２４の視認性を向上させることができる。
【００６５】
また、コンテナ６は、図書４を延設部２４ｃが係合する側の第２側壁６ｃに背表紙４ａを向けた状態で収容可能であり、底板６ａの上面は、延設部２４ｃが当接した側の第２側壁から他側の第２側壁６ｃに向けて傾斜面６ｄに形成されているので、コンテナ６内に収容された図書４の底部が傾斜面６ｄに摺接することで、背表紙４ａが第２側壁６ｃに当接するため、各図書４の背表紙４ａが第２側壁６ｃに沿って面一に配置され、利用者が図書４の背表紙４ａに書かれているタイトル等を容易に判別することができる。
【実施例２】
【００６６】
次に、実施例２に係るコンテナにつき、図１０から図１２を参照して説明する。尚、前記実施例と同一構成で重複する構成を省略する。以下、図１０における紙面下側をコンテナの正面側（前方側）とし、図１１における紙面手前側をコンテナの正面側（前方側）とし、図１２における紙面左側をコンテナの正面側（前方側）として説明する。
【００６７】
図１０及び図１２に示すように、実施例２におけるコンテナ６の正面側と背面側とに形成された傾斜面６ｄには、上方に開口する溝部６ｊが形成されている。これら溝部６ｊは、収容空間の左右幅寸法と略同寸となるように、傾斜面６ｄの左右方向略全長に亘って形成されている。また、ディバイダ２４のベース板部２４ａ’は、前後方向を向いた状態で溝部６ｊ内に挿入配置可能な前後幅寸法に形成されている。
【００６８】
図１１に示すように、第２側壁６ｃの外側面には、第２側壁６ｃの左端部から右端部にかけて所定間隔毎に目盛２３が付設されている。これら目盛２３の下部には、左端部側から右端部にかけて数字が０から順番に印字されている。これらの数字は、コンテナ６の左右側端部である両第１側壁６ｂの内側面間の距離を示している。
【００６９】
このようにコンテナ６とディバイダ２４とを構成することによって、ディバイダ２４は、延設部２４ｃを左右方向に移動させることで、ベース板部２４ａ’を溝部６ｊに沿って左右方向に摺動させることができる。特に、図１２に示すように、本実施例における溝部６ｊの深さ寸法はベース板部２４ａ’の厚み寸法よりも長寸に形成されているため、ベース板部２４ａ’は溝部６ｊ内を図書４の底部に当接せずに摺動可能となっており、ベース板部２４ａ’で図書４の荷重による摩擦力を受けずともディバイダ２４の配置位置を変更可能となっている。
【００７０】
尚、図１１に示すように、延設部２４ｃは、コンテナ６の外側面視から視認可能となっているとともに、目盛２３の上方に配置されるようになっている。このため、使用者は、各目盛２３の近傍に配置された延設部２４ｃを視認することで、第１側壁６ｂまたは隔壁６ｈとディバイダ２４との間に配置されている図書４の収容量を厚みとして認識することができる。
【００７１】
以上、実施例２におけるコンテナ６にあっては、底板６ａには、左右方向を向く溝部６ｊが形成されており、ディバイダ２４は、溝部６ｊ内を左右方向に摺動するベース板部２４ａ’を有しているので、ベース板部２４ａ’を溝部６ｊに沿って摺動させることで、収容空間２１に収容される図書４の増減に応じて、ベース板部２４ａ’をより安定した状態で左右方向に移動させることができる。
【００７２】
また、延設部２４ｃが係合する側の第２側壁６ｃの外側面には、左右方向に所定間隔毎に目盛２３が付設されているので、利用者は、目盛２３と延設部２４ｃとの位置関係から収容空間２１に収容されている図書４の収容量を認識することができる。
【００７３】
以上、本発明の実施例を図面により説明してきたが、具体的な構成はこれら実施例に限られるものではなく、本発明の要旨を逸脱しない範囲における変更や追加があっても本発明に含まれる。
【００７４】
例えば、前記実施例では、ベース板部２４ａの左端部から仕切板部２４ｂを立設させたが、仕切板部２４ｂをベース板部２４ａの左右方向略中央部から立設させることで、傾斜面６ｄに対し左右バランスよくディバイダ２４の横倒れを防止するようにしてもよい。
【００７５】
尚、前記実施例では、ディバイダ２４を一枚のスチール材等の金属材によって構成された板体の折曲げ加工により形成したが、ディバイダ２４を樹脂材の射出成形によって形成してもよい。ディバイダ２４を樹脂材で形成すれば、ディバイダ２４に図書のＲＦＩＤタグが当接してしまう状態であっても、タグリーダ１６は、ＲＦＩＤタグの識別情報を読み取ることができる。更に尚、ディバイダ２４を金属材によって形成しても、その表面にフェライトシート等を貼り付けることで、ディバイダ２４に図書のＲＦＩＤタグが当接してしまう状態であっても、タグリーダ１６は、ＲＦＩＤタグの識別情報を読み取ることができる。
【符号の説明】
【００７６】
１                図書保管管理システム
２                利用者室
３                閉架書庫
４                図書
４ａ              背表紙
６                コンテナ
６ａ              底板
６ｂ              第１側壁
６ｃ              第２側壁
６ｄ              傾斜面
６ｊ              溝部
２１              収容空間
２３              目盛
２４              ディバイダ（仕切体）
２４ａ，２４ａ’  ベース板部
２４ｂ            仕切板部
２４ｃ            延設部
２４ｄ            側片
２４ｅ            突片
２４ｆ            係止片
【図１】
2011006123.tif 000003
【図２】
2011006123.tif 000004
【図３】
2011006123.tif 000005
【図４】
2011006123.tif 000006
【図５】
2011006123.tif 000007
【図６】
2011006123.tif 000008
【図７】
2011006123.tif 000009
【図８】
2011006123.tif 000010
【図９】
2011006123.tif 000011
【図１０】
2011006123.tif 000012
【図１１】
2011006123.tif 000013
【図１２】
2011006123.tif 000014